(57)【要約】【課題】ゴルファにとって飛距離を増大させるゴルフクラブのヘッドを精度よくフィッティングすることが可能なゴルフクラブのヘッドのフィッティング方法を提供する。【解決手段】ゴルフクラブのヘッドのフィッティング方法は、ヘッド重量が異なる複数のゴルフクラブの各々について、被験者による当該ゴルフクラブのスイング時のヘッドスピードを測定するステップと、複数のゴルフクラブの各々について、当該ゴルフクラブのヘッド重量と、当該ゴルフクラブのスイング時に測定されたヘッドスピードとに基づいて、当該ゴルフクラブのヘッドの運動エネルギーを求めるステップと、算出されたヘッドの運動エネルギーとヘッド重量との間の相関関係に基づいて、被験者に適するヘッド重量を推定するステップとを含む。【選択図】図１
2016123487.tif 000002
【特許請求の範囲】
【請求項１】
ヘッド重量が異なる複数のゴルフクラブの各々について、被験者による当該ゴルフクラブのスイング時のヘッドスピードを測定するステップと、
前記複数のゴルフクラブの各々について、当該ゴルフクラブの前記ヘッド重量と、当該ゴルフクラブのスイング時に測定されたヘッドスピードとに基づいて、当該ゴルフクラブのヘッドの運動エネルギーを求めるステップと、
前記算出されたヘッドの運動エネルギーと前記ヘッド重量との間の相関関係に基づいて、前記被験者に適する前記ヘッド重量を推定するステップとを含む、ゴルフクラブのヘッドのフィッティング方法。
【請求項２】
前記推定するステップは、前記ヘッドの運動エネルギーが最大となるときの当該ヘッドの重量を、前記被験者に適する前記ヘッド重量として推定することを含む、請求項１に記載のゴルフクラブのヘッドのフィッティング方法。
【請求項３】
予め定められたゴルフクラブが前記被験者によりボールに対してスイングされた場合に、前記予め定められたゴルフクラブのヘッドのフェース部のスイートスポットと、前記ボールの打撃位置との相対位置を測定するステップをさらに含む、請求項１または２に記載のゴルフクラブのヘッドのフィッティング方法。
【請求項４】
前記推定するステップにより推定されたヘッド重量、および前記相対位置を出力するステップをさらに含む、請求項３に記載のゴルフクラブのヘッドのフィッティング方法。
【請求項５】
前記推定するステップにより推定されたヘッド重量と、前記相対位置に基づいて調整されたスイートスポットとを有するヘッドを提供するステップをさらに含む、請求項３または４に記載のゴルフクラブのヘッドのフィッティング方法。
【請求項６】
ヘッド重量が異なる複数のゴルフクラブの各々について、被験者による当該ゴルフクラブのスイング時のヘッドスピードの入力を受け付けるヘッドスピード入力部と、
前記複数のゴルフクラブの各々について、当該ゴルフクラブの前記ヘッド重量と、当該ゴルフクラブのスイング時に測定されたヘッドスピードとに基づいて、当該ゴルフクラブのヘッドの運動エネルギーを算出するエネルギー算出部と、
前記算出されたヘッドの運動エネルギーと前記ヘッド重量との間の相関関係に基づいて、前記被験者に適する前記ヘッド重量を推定する推定部とを備える、ゴルフクラブのヘッドのフィッティング装置。
【請求項７】
前記推定部は、前記ヘッドの運動エネルギーが最大となるときの当該ヘッドの重量を、前記被験者に適する前記ヘッド重量として推定する、請求項６に記載のゴルフクラブのヘッドのフィッティング装置。
【請求項８】
予め定められたゴルフクラブが前記被験者によりボールに対してスイングされた場合に、前記予め定められたゴルフクラブのヘッドのフェース部のスイートスポットと、前記ボールの打撃位置との相対位置の入力を受け付ける位置入力部をさらに備える、請求項６または７に記載のゴルフクラブのヘッドのフィッティング装置。
【請求項９】
前記推定部により推定されたヘッド重量、および前記位置入力部により受け付けられた前記相対位置を出力する出力部をさらに備える、請求項８に記載のゴルフクラブのヘッドのフィッティング装置。
【請求項１０】
前記出力部は、前記推定部により推定されたヘッド重量と基準ヘッド重量との差を示す情報をさらに出力する、請求項９に記載のゴルフクラブのヘッドのフィッティング装置。
【発明の詳細な説明】
【技術分野】
【０００１】
本開示は、ゴルフクラブのヘッドのフィッティングに関し、特に、被験者の飛距離を増大させる最適なヘッドを提供するための技術に関する。
【背景技術】
【０００２】
ゴルファにとって適したゴルフクラブ（たとえば、飛距離の出やすい、ボールを狙った方向および角度に飛ばしやすいゴルフクラブ）を選定することは、一般的にフィッティングと称される。ゴルファごとにスイングの型や身体的な特徴が異なる（たとえば、ゴルファの身長、体重、腕の長さなど）ことから、このフィッティングを行なうことはゴルファが成功する上で極めて重要である。
【０００３】
このフィッティングを効果的に行なうためには、ゴルフクラブの全重量、クラブヘッドの重量、ゴルフクラブの長さなど様々な要因を考慮する必要がある。ゴルフクラブのフィッティングのある局面における目的は、飛距離を増大させるゴルフクラブを選定することである。この場合、特に、ゴルフクラブのヘッドの物性がフィッティングの良否に大きく影響する。
【０００４】
たとえば、特開２０１２−９５８５０号公報（特許文献１）は、ゴルフクラブのフィッティング方法を開示している。このフィッティング方法は、ヘッド物性の値が異なる複数のゴルフクラブを用いて、複数のゴルファがスイングしたときのインパクト前またはインパクトでのフェース角と打球結果とが考慮された関係を準備するステップと、テストクラブを被験者が打球して、フェース角の測定結果を得るステップと、上記関係と上記フェース角の測定結果とに基づいて、上記被験者に適合したヘッド物性を判断するステップとを含む。
【先行技術文献】
【特許文献】
【０００５】
【特許文献１】特開２０１２−９５８５０号公報
【発明の概要】
【発明が解決しようとする課題】
【０００６】
特許文献１では、フェース角に着目して、ゴルファに適するヘッド物性を判断することを検討している。しかしながら、特許文献１に開示された方法は、特に、ゴルファにとって飛距離を増大させるゴルフクラブを選定する方法としては十分とは言えない。
【０００７】
本開示は、上記のような問題点を解決するためになされたものであって、ある局面における目的は、ゴルファにとって飛距離を増大させるゴルフクラブのヘッドを精度よくフィッティングすることが可能なゴルフクラブのヘッドのフィッティング方法およびフィッティング装置を提供することである。
【課題を解決するための手段】
【０００８】
ある実施の形態に従うゴルフクラブのヘッドのフィッティング方法は、ヘッド重量が異なる複数のゴルフクラブの各々について、被験者による当該ゴルフクラブのスイング時のヘッドスピードを測定するステップと、複数のゴルフクラブの各々について、当該ゴルフクラブのヘッド重量と、当該ゴルフクラブのスイング時に測定されたヘッドスピードとに基づいて、当該ゴルフクラブのヘッドの運動エネルギーを求めるステップと、算出されたヘッドの運動エネルギーとヘッド重量との間の相関関係に基づいて、被験者に適するヘッド重量を推定するステップとを含む。
【０００９】
好ましくは、推定するステップは、ヘッドの運動エネルギーが最大となるときの当該ヘッドの重量を、被験者に適するヘッド重量として推定することを含む。
【００１０】
好ましくは、ゴルフクラブのヘッドのフィッティング方法は、予め定められたゴルフクラブが被験者によりボールに対してスイングされた場合に、予め定められたゴルフクラブのヘッドのフェース部のスイートスポットと、ボールの打撃位置との相対位置を測定するステップをさらに含む。
【００１１】
好ましくは、ゴルフクラブのヘッドのフィッティング方法は、推定するステップにより推定されたヘッド重量、および相対位置を出力するステップをさらに含む。
【００１２】
好ましくは、ゴルフクラブのヘッドのフィッティング方法は、推定するステップにより推定されたヘッド重量と、相対位置に基づいて調整されたスイートスポットとを有するヘッドを提供するステップをさらに含む。
【００１３】
他の実施の形態に従うゴルフクラブのヘッドのフィッティング装置は、ヘッド重量が異なる複数のゴルフクラブの各々について、被験者による当該ゴルフクラブのスイング時のヘッドスピードの入力を受け付けるヘッドスピード入力部と、複数のゴルフクラブの各々について、当該ゴルフクラブのヘッド重量と、当該ゴルフクラブのスイング時に測定されたヘッドスピードとに基づいて、当該ゴルフクラブのヘッドの運動エネルギーを算出するエネルギー算出部と、算出されたヘッドの運動エネルギーとヘッド重量との間の相関関係に基づいて、被験者に適するヘッド重量を推定する推定部とを備える。
【００１４】
好ましくは、推定部は、ヘッドの運動エネルギーが最大となるときの当該ヘッドの重量を、被験者に適するヘッド重量として推定する。
【００１５】
好ましくは、ゴルフクラブのヘッドのフィッティング装置は、予め定められたゴルフクラブが被験者によりボールに対してスイングされた場合に、予め定められたゴルフクラブのヘッドのフェース部のスイートスポットと、ボールの打撃位置との相対位置の入力を受け付ける位置入力部をさらに備える。
【００１６】
好ましくは、ゴルフクラブのヘッドのフィッティング装置は、推定部により推定されたヘッド重量、および位置入力部により受け付けられた相対位置を出力する出力部をさらに備える。
【００１７】
好ましくは、出力部は、推定部により推定されたヘッド重量と予め定められたゴルフクラブのヘッド重量との差を示す情報をさらに出力する。
【発明の効果】
【００１８】
本開示によると、ゴルファにとって飛距離を増大させるゴルフクラブのヘッドを精度よくフィッティングすることが可能となる。
【図面の簡単な説明】
【００１９】
【図１】本実施の形態に従うゴルフクラブのヘッドのフィッティング方法を示すフローチャートである。
【図２】本実施の形態に従うゴルフクラブのヘッドのフィッティング方法のために用いられるシステムの全体構成を示す図である。
【図３】本実施の形態に従うフィッティング装置のハードウェア構成を示すブロック図である。
【図４】打痕を確認するための感圧紙が貼りつけられたヘッドのフェース面を示す図である。
【図５】スイートスポットに対する打撃位置の相対位置を説明するための図である。
【図６】被験者が複数のゴルフクラブを使用したときのスイートスポットに対する打撃位置の相対位置の測定結果を示す図である。
【図７】ヘッド重量が異なる複数のゴルフクラブを被験者が使用したときのヘッドスピード、運動エネルギーおよび飛距離を示す図である。
【図８】ヘッド重量と運動エネルギーとの関係性を示す図である。
【図９】ヘッド重量と飛距離との関係性を示す図である。
【図１０】フィッティング後のゴルフクラブのヘッドを使用した場合の試打結果を示す図である。
【図１１】本実施の形態に従うフィッティング装置の機能ブロック図である。
【図１２】本実施の形態に従うフィッティング装置の処理手順の一例を示すフローチャートである。
【図１３】他の被験者が予め定められたゴルフクラブを使用したときの試打結果を示す図である。
【図１４】ヘッド重量が異なる複数のゴルフクラブを他の被験者が使用したときのヘッドスピードおよび運動エネルギーを示す図である。
【図１５】ヘッド重量と運動エネルギーとの関係性を示す図である。
【図１６】他の被験者がフィッティング後のゴルフクラブのヘッドを用いたときの試打結果を示す図である。
【発明を実施するための形態】
【００２０】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２１】
＜概要＞
図１は、本実施の形態に従うゴルフクラブのヘッドのフィッティング方法を示すフローチャートである。図１に示すように、本実施の形態に従うゴルフクラブのヘッドのフィッティング方法（以下、単に「フィッティング方法」とも称する。）は、複数のゴルフクラブの各々について、当該ゴルフクラブがボールに対して被験者によりスイングされた場合に、当該ゴルフクラブのヘッドのフェース部のスイートスポットと、ボールの打撃位置との相対位置を測定するステップＳ１００を含む。ボールの打撃位置は、測定者が打痕を確認することにより特定される。たとえば、フェース面に感圧紙を貼り付けておき、打痕を確認することにより打撃位置が特定される。典型的には、打撃位置は、打痕の中心点である。そして、スイートスポットと当該打撃位置との相対位置が測定される。
【００２２】
フィッティング方法は、ヘッド重量が異なる複数のゴルフクラブの各々について、被験者による当該ゴルフクラブのスイング時のヘッドスピードを測定するステップＳ１１０を含む。
【００２３】
フィッティング方法は、複数のゴルフクラブの各々について、当該ゴルフクラブのヘッド重量と、当該ゴルフクラブのスイング時に計測されたヘッドスピードとに基づいて、当該ゴルフクラブのヘッドの運動エネルギーを求めるステップＳ１２０を含む。具体的には、ヘッドの運動エネルギーをＥ、ヘッドスピードをＶ、ヘッド重量をＭとすると、Ｅ＝１／２ＭＶ２となる。
【００２４】
フィッティング方法は、算出されたヘッドの運動エネルギーとヘッド重量との間の相関関係に基づいて、被験者に適するヘッド重量を推定するステップＳ１３０を含む。具体的には、ステップＳ１２０において、ヘッド重量がそれぞれ異なる複数のヘッドの運動エネルギーが求められるため、ヘッド重量と運動エネルギーとの間の相関関係を把握することができる。したがって、この相関関係から、被験者に適するヘッド重量を推定することができる。典型的には、ヘッドの運動エネルギーが最大となるときの当該ヘッドの重量が、被験者に適するヘッド重量として推定される。なぜなら、運動中のヘッドがボールに衝突することによってボールが打ち出されるため、ボールに衝突する直前のヘッドの運動エネルギーが大きいほど飛距離が大きくなることが期待できるためである。
【００２５】
フィッティング方法は、ステップＳ１００において測定された相対位置とステップＳ１３０において推定されたヘッド重量（推定ヘッド重量）とを出力するステップＳ１４０を含む。具体的には、推定ヘッド重量および相対位置がディスプレイなどに表示される。あるいは、推定ヘッド重量および相対位置がスピーカなどにより報知される。なお、推定ヘッド重量および相対位置を被験者（人）が認識することができれば、これ以外の形態で出力される構成であってもよい。
【００２６】
フィッティング方法は、ステップＳ１００において測定された相対位置に基づいて調整されたスイートスポットと、推定ヘッド重量とを有するヘッドを提供するステップＳ１５０を含む。たとえば、ヘッド内部に樹脂を流入させる方式などを用いてスイートスポットおよびヘッド重量が調整される。詳細には、ヘッド内部に粘性体樹脂を流入してヘッド重量を推定ヘッド重量に合わせつつ、その流入位置を調整することにより相対位置を目標としてスイートスポットが調整される。そして、調整されたスイートスポットおよびヘッド重量とを有するヘッドが被験者に提供される。
【００２７】
＜システムの全体構成＞
図２は、本実施の形態に従うゴルフクラブのヘッドのフィッティング方法のために用いられるシステムの全体構成を示す図である。図２を参照して、当該システムは、ゴルフクラブのヘッドのフィッティング装置１０（以下、単に「フィッティング装置１０」とも称する。）と、測定装置２０とを含む。
【００２８】
本実施の形態では、フィッティング装置１０は、ノートＰＣ（Personal  Computer）であるとするが、種類を問わず任意の装置として実現可能である。たとえば、フィッティング装置１０は、デスクトップＰＣ、タブレット端末装置、ＰＤＡ（Personal  Digital  Assistance）、スマートフォンなどの機器であってもよい。フィッティング装置１０は、測定装置２０での測定結果を用いて、ゴルフクラブのヘッドのフィッティングを行なう装置として機能する。
【００２９】
測定装置２０は、ヘッドスピード、および打球の飛距離を測定可能な装置である。たとえば、測定装置２０は、ドップラーレーダーを使用してボールの弾道を追跡して、これらのデータを測定可能な弾道測定器である。たとえば、弾道測定器は、Interactive Sports Games社製弾道測定器トラックマン、またはForesite社製の弾道測定器ＧＣ２である。なお、計測精度が保たれていれば他の弾道測定器であってもよい。また、打球の飛距離は、実際のコースや練習場などで実測された飛距離であってもよい。
【００３０】
なお、フィッティング装置１０と測定装置２０とは、互いに通信可能に構成されていてもよい。たとえば、フィッティング装置１０は、Ｂｌｕｅｔｏｏｔｈ（登録商標）、無線ＬＡＮ（Local  Area  Network）、赤外線通信などを利用して測定装置２０と通信する。なお、フィッティング装置１０は、ＵＳＢ（Universal  Serial  Bus）などを利用した有線通信が可能に構成されていてもよい。フィッティング装置１０は、測定装置２０で測定された測定結果の入力を受け付けて、ゴルフクラブのヘッドのフィッティングするための処理を実行する。
【００３１】
＜フィッティング装置のハードウェア構成＞
図３は、本実施の形態に従うフィッティング装置１０のハードウェア構成を示すブロック図である。図３を参照して、フィッティング装置１０は、主たる構成要素として、ＣＰＵ（Central  Processing  Unit）１００と、メモリ１１０と、入力装置１２０と、ディスプレイ１３０と、通信インターフェイス（Ｉ／Ｆ）１４０と、メモリインターフェイス（Ｉ／Ｆ）１５０とを含む。
【００３２】
ＣＰＵ１００は、メモリ１１０に記憶されたプログラムを読み出して実行することで、フィッティング装置１０の各部の動作を制御する。より詳細には、ＣＰＵ１００は、当該プログラムを実行することによって、後述するフィッティング装置１０の処理（ステップ）の各々を実現する。ＣＰＵ１００は、例えば、マイクロプロセッサである。
【００３３】
メモリ１１０は、ＲＡＭ（Random  Access  Memory）、ＲＯＭ（Read-Only  Memory）、ハードディスクなどによって実現される。メモリ１１０は、ＣＰＵ１００によって実行されるプログラム、またはＣＰＵ１００によって用いられるデータなどを記憶する。
【００３４】
入力装置１２０は、フィッティング装置１０に対する操作入力を受け付ける。入力装置１２０は、例えば、キーボード、ボタン、マウスなどによって実現される。また、入力装置１２０は、タッチパネルとして実現されていてもよい。
【００３５】
ディスプレイ１３０は、ＣＰＵ１００からの信号に基づいて、表示画面に画像、テキスト、その他の情報を表示する。たとえば、ＣＰＵ１００は、被験者に適するゴルフクラブのヘッドに関する情報をディスプレイ１３０に表示する。
【００３６】
通信インターフェイス（Ｉ／Ｆ）１４０は、フィッティング装置１０と測定装置２０との間で各種データをやり取りするごとが可能である。なお、通信方式としては、たとえば、Ｂｌｕｅｔｏｏｔｈ（登録商標）、無線ＬＡＮなどによる無線通信であってもよいし、ＵＳＢなどを利用した有線通信であってもよい。
【００３７】
メモリインターフェイス（Ｉ／Ｆ）１５０は、外部の記憶媒体１５２からデータを読み出す。より具体的には、ＣＰＵ１００は、メモリインターフェイス１５０を介して外部の記憶媒体１５２に格納されているデータを読み出して、当該データをメモリ１１０に格納する。ＣＰＵ１００は、メモリ１１０からデータを読み出して、メモリインターフェイス１５０を介して当該データを外部の記憶媒体１５２に格納する。なお、記憶媒体１５２としては、ＣＤ（Compact  Disc）、ＤＶＤ（Digital  Versatile  Disk）、ＢＤ（Blu-ray（登録商標）  Disc）、ＵＳＢ（Universal  Serial  Bus）メモリなどの、不揮発的にプログラムを格納する媒体が挙げられる。
【００３８】
＜フィッティングの流れ＞
次に、被験者に適するゴルフクラブのヘッドがフィッティングされるまでの流れについて説明する。
【００３９】
（スイートスポットと打撃位置との相対位置）
まず、スイートスポットと打撃位置との相対位置の測定方式について説明する。図４は、打痕を確認するための感圧紙が貼りつけられたヘッドのフェース面を示す図である。図５は、スイートスポットに対する打撃位置の相対位置を説明するための図である。
【００４０】
本実施の形態では、打撃位置の測定者が打痕を確認するために、図４に示すように、フェース型感圧紙をヘッドのフェース面に貼りつけている。具体的には、感圧紙には基準点および基準線（垂直基準線、水平基準線など）が印刷されており、予め測定されているスイートスポットの位置に当該基準点を合わせ、水平線を対地平行にしてフェース面に貼り付けられる。本実施の形態では、ヘッドのクラウン側およびソール側をそれぞれ上側および下側と定義する。また、トウ側およびヒール側をそれぞれ左側および右側と定義する。
【００４１】
フェース面に感圧紙が貼り付けられたゴルフクラブを用いて被験者であるゴルファＡがボールを打撃すると、図５に示すような打痕が残る。この打痕はほぼ円形であることから、本実施の形態では、その打撃中心点を打撃位置と定義する。また、スイートスポットに対する打撃位置（打撃中心点）の相対位置は、上下方向および左右方向の相対位置で表され、特に、上下方向の相対位置を上下打撃位置と定義し、左右方向の相対位置を左右打撃位置と定義する。
【００４２】
図６は、ゴルファＡが複数のゴルフクラブを使用したときのスイートスポットに対する打撃位置の相対位置の測定結果を示す図である。具体的には、図６（ａ）および（ｂ）は、それぞれ、ヘッド重量が異なる５本のゴルフクラブをゴルファＡが使用したときの当該相対位置の測定結果を示す表およびグラフである。
【００４３】
本実施の形態では、ヘッド重量が１８３．４ｇのゴルフクラブは、スイングウェイト（スイングバランス）がＤ０のゴルフクラブであり、これを男性であるゴルファＡにとっての基準クラブとしている。これは、一般的な男性ゴルファの場合には、概ねスイングバランスがＤ０のゴルフクラブが提供されるためである。
【００４４】
なお、スイングバランスとは、ゴルフクラブのヘッドの利き具合（スイングの際にヘッドの重量感をどれだけ感じやすいか）を示す数値である。スイングバランスは、グリップエンドから１４インチの場所を支点にして、ヘッド側がどれだけ重かを測定する方法（１４インチバランス測定法）を用いて測定される。スイングバランスの計算値Ｂ（インチ・オンス）を算出するための式（１）は以下のとおりである。
【００４５】
【数１】
2016123487.tif 000003
【００４６】
また、スイングバランスは、軽い方から順に、Ａ０、Ａ１、・・・、Ｃ８、Ｃ９、Ｄ０、Ｄ１、Ｄ２・・・のように表現される。なお、Ｄ０のゴルフクラブ（ここでは、基準クラブ）のスイングバランスの計算値Ｂは、２１３．５０（インチ・オンス）である。
【００４７】
図６に示す測定結果を得るために、各ゴルフクラブについて、ゴルファＡにより５回の試打が行われている。１回の試打ごとに打痕を確認することにより、スイートスポットに対する打撃位置（打撃中心点）の相対位置（上下打撃位置および左右打撃位置）が測定される。典型的には、当該相対位置の測定は、メジャーなどの測定器（図示しない）を用いて行われる。なお、カメラを用いてフェース面を撮像した画像を解析することにより、この相対位置が測定される構成であってもよい。
【００４８】
図６を参照して、たとえば、ヘッド重量が１８３．４ｇのゴルフクラブをゴルファＡが使用したときには、左右打撃位置の５回ショットの平均値が−７．７ｍｍであり、上下打撃位置の５回ショットの平均値が−５．３ｍｍであることがわかる。左右打撃位置は、スイートスポットよりもヒール側を正、トウ側を負として表わされている。また、上下打撃位置は、スイートスポットよりも上側（ヘッドのクラウン側）を正、下側（ヘッドのソール側）を負として表わされている。したがって、ヘッド重量が１８３．４ｇのゴルフクラブをゴルファＡが使用した場合、スイートスポットに対して７．７ｍｍトウ側、５．３ｍｍ下側に打撃位置（打撃中心点）がズレていることがわかる（図６（ｂ）参照）。
【００４９】
図６には、同様に、ヘッド重量が１９０．７ｇ、１９８．５ｇ、２０５．５ｇ、２１２．５ｇのゴルフクラブをゴルファＡが使用した場合の左右打撃位置および上下打撃位置の測定結果が示されている。そして、スイングされた５本のゴルフクラブの左右打撃位置および上下打撃位置の平均値も示されている。この平均値に基づくと、ゴルファＡの場合には、スイートスポットに対して平均的に１０．１ｍｍトウ側、２．３ｍｍ下側に打撃位置がズレていることがわかる。
【００５０】
（ヘッドの運動エネルギー）
次に、ゴルフクラブのヘッドの運動エネルギーの算出方式について説明する。図７は、ヘッド重量が異なる複数のゴルフクラブをゴルファＡが使用したときのヘッドスピード、運動エネルギーおよび飛距離を示す図である。図８は、ヘッド重量と運動エネルギーとの関係性を示す図である。図９は、ヘッド重量と飛距離との関係性を示す図である。
【００５１】
図７に示すヘッドスピードおよび飛距離の測定結果を得るために、図６の相対位置の測定に用いられた各ゴルフクラブについて、ゴルファＡにより５回の試打が行われている。すなわち、本実施の形態では、ゴルファＡが各ゴルフクラブを試打するタイミングで、上述した相対位置の測定と、ヘッドスピードおよび飛距離の測定とが行われる。ただし、相対位置の測定とヘッドスピードおよび飛距離の測定とは、別々のタイミングで測定される構成であってもよい。
【００５２】
典型的には、ヘッドスピードおよび飛距離の測定は、測定装置２０を用いて行われる。測定されるヘッドスピードは、ゴルファＡのスイングにおけるインパクト直前のヘッドスピードである。本明細書では、インパクト直前とは、インパクトと同時またはインパクト時刻から予め定められた時間（たとえば５／１００秒程度）だけ前の時点を意味する。
【００５３】
図７を参照して、たとえば、ヘッド重量が１８３．４ｇのゴルフクラブをゴルファＡが使用した場合には、ヘッドスピードの５回分の平均値が４３．０ｍ／ｓであり、飛距離の５回分の平均値が２３７．３ｙａｒｄであることが示されている。さらに、図７には、ヘッド重量とヘッドスピードとに基づいて算出されたヘッドの運動エネルギーも示されている。運動エネルギーはＥ＝１／２ＭＶ２で表される。そのため、ヘッド重量（１８３．４ｇ）とヘッドスピード（４３．０ｍ／ｓ）とに基づくと、ヘッドの運動エネルギーは１６９．６Ｊと算出される。同様に、図７には、ヘッド重量が１９０．７ｇ、１９８．５ｇ、２０５．５ｇ、２１２．５ｇのゴルフクラブをゴルファＡが使用したときのヘッドスピード、運動エネルギーおよび飛距離が示されている。
【００５４】
図８には、ヘッド重量と運動エネルギーとの関係を正規分布により近似した曲線が示されている。この曲線に基づくと、ある値（ここでは、２０８．０ｇ）まではヘッド重量が増加するにつれて運動エネルギーが増加していくが、それ以降はヘッド重量が増加していくにつれて運動エネルギーが減少していくことがわかる。すなわち、ヘッド重量が２０８．０ｇのときに最大の運動エネルギー（１８０Ｊ）が得られる。
【００５５】
また、図９には、ヘッド重量と飛距離との関係を正規分布により近似した曲線が示されている。この曲線に基づくと、ヘッド重量が２０７．１ｇのときに最大の飛距離２４９ｙａｒｄが得られる。このように、運動エネルギーと飛距離とはヘッド重量に対してほぼ同じ相関関係を有する。すなわち、最大の運動エネルギーが得られるときに、飛距離がほぼ最大になることがわかる。そのため、飛距離の観点からすると、ゴルファＡに適するゴルフクラブのヘッドの重量は、最大の運動エネルギーが得られるヘッド重量である２０８．０ｇであると推定される。典型的には、ヘッド重量の推定は、測定装置２０の測定結果に基づいて、フィッティング装置１０により実行される。
【００５６】
（相対位置およびヘッド重量の出力）
次に、測定された相対位置と、推定されたヘッド重量（推定ヘッド重量）とが出力される。具体的には、当該相対位置と、当該推定ヘッド重量とがフィッティング装置１０のディスプレイ１３０に表示される。たとえば、ゴルファＡの場合には、スイートスポットに対して１０．１ｍｍトウ側、かつ２．３ｍｍ下側に打撃位置がズレていることを示す情報（たとえば、図６のような表およびグラフ）、および最適なヘッド重量が２０８．０ｇであることを示す情報（たとえば、数値や図８のようなグラフ）が表示される。あるいは、フィッティング装置１０のスピーカ（図示しない）により、これらの情報が報知される構成であってもよい。これにより、ゴルファＡは、自分に適したヘッド重量と、試打に用いたゴルフクラブのスイートスポットに対する打撃位置の相対位置とを把握することができる。また、店員は、これらの情報に基づいて、ゴルファＡにとって適したゴルフクラブのヘッドを選定することができる。
【００５７】
（ヘッドの調整）
上記より、ゴルファＡの場合、ヘッド重量を２０８．０ｇに調整し、かつスイートスポットの位置を試打に用いたゴルフクラブのスイートスポットよりも１０．１ｍｍトウ側、２．３ｍｍ下側に調整したヘッドを提供すればよいことがわかる。
【００５８】
ヘッドの調整は、たとえば、ヘッド内部に樹脂を流入させる方式などを用いて行われる。具体的には、ヘッド内部に粘性体樹脂を流入してヘッド重量を２０８．０ｇに合わせつつ、その流入位置を調整することにより現状よりも１０．１ｍｍトウ側、かつ２．３ｍｍ下側を目標としてスイートスポットを移動させる。
【００５９】
なお、ヘッドの調整方式は、ヘッド内部に樹脂を流入させる方式に限られず、たとえば、ヘッドに錘をねじ込む方式、シャフト穴に錘を差し込む方式、ヘッドの肉厚を研磨する方式、鉛テープなどをヘッドに接着させる方式などの公知の方式を採用することができる。あるいは、現状のゴルフクラブのヘッドに錘などを付加して調整するのではなく、新たにヘッド重量が２０８．０ｇかつ、現状よりも１０．１ｍｍトウ側、２．３ｍｍ下側のスイートスポットを有するヘッドを製造してゴルファＡに提供してもよい。
【００６０】
（フィッティングの効果）
次に、ゴルファＡのフィッティング後における飛距離の増大効果について説明する。ここでは、ゴルファＡの基準クラブである１８３．４ｇのゴルフクラブのヘッドで試打した場合の飛距離と、上記フィッティングにより調整されたヘッドで試打した場合の飛距離とを比較する。具体的には、調整されたヘッドとは、ヘッド重量が２０８．０ｇであり、基準クラブのヘッドのスイートスポットよりも１０．１ｍｍトウ側、２．３ｍｍ下側を目標としてスイートスポットを移動したヘッドである。
【００６１】
図１０は、フィッティング後のゴルフクラブのヘッドを使用した場合の試打結果を示す図である。
【００６２】
図１０を参照して、ゴルファＡによりフィッティング後のゴルフクラブについて４回の試打が行われている。左右打撃位置、上下打撃位置、ヘッドスピードおよび飛距離の平均値は、それぞれ−８．５ｍｍ、−３．３ｍｍ、４２．１ｍ／ｓ、２５０．５ｙａｒｄである。なお、左右打撃位置および上下打撃位置は、それぞれゴルファＡの基準クラブのスイートスポットに対する打撃位置の上下方向および左右方向の相対位置を示している。
【００６３】
ここで、フィッティング後のヘッドのスイートスポットの位置は、上述したように、基準クラブのヘッドのスイートスポットよりも１０．１ｍｍトウ側、２．３ｍｍ下側を目標として調整されている。そのため、フィッティング後の打撃位置（基準クラブのヘッドのスイートスポットよりも８．５ｍｍトウ側、３．３ｍｍ下側）は、フィッティング前よりも相対的に調整したスイートスポットに近づいていることがわかる。
【００６４】
また、図１０を参照して、フィッティング後のゴルフクラブのヘッドの運動エネルギーは、ヘッド重量（２０８．０ｇ）およびヘッドスピード（４２．１ｍ／ｓ）から１８４．３（Ｊ）となる。これに対して、フィッティング前の基準クラブのヘッドの運動エネルギーは、１６９．６（Ｊ）である（図７参照）。これより、フィッティング後のゴルフクラブのヘッドの運動エネルギーは、フィッティング前よりも増大していることがわかる。
【００６５】
また、フィッティング前の飛距離の平均値は２３７．３ｙａｒｄであり（図７参照）、フィッティング後の飛距離の平均値は２５０．５ｙａｒｄであることから、フィッティング前よりも後の方が、飛距離が１３．２ｙａｒｄも増大していることがわかる。これは、運動エネルギーが増大したこと、および打撃位置が相対的にスイートスポットに近づいことが寄与していると考えられる。具体的には、図９を参照すると、フィッティング後のゴルフクラブのヘッド重量（２０８．０ｇ）のときに得られる飛距離は２４９ｙａｒｄと推定される。そのため、１．５ｙａｒｄ分が、打撃位置が相対的にスイートスポットに近づいたことによる飛距離増大効果であると考えられる。
【００６６】
＜機能構成＞
次に、図１１を参照して、本実施の形態に従うフィッティング装置１０を実現するための機能構成について説明する。図１１は、本実施の形態に従うフィッティング装置１０の機能ブロック図である。
【００６７】
図１１を参照して、フィッティング装置１０は、位置入力部２００と、入力部２１０と、算出部２２０と、推定部２３０と、出力部２４０とを含む。これらは、基本的には、フィッティング装置１０のＣＰＵ１００がメモリ１１０に格納されたプログラムを実行し、フィッティング装置１０の構成要素へ指令を与えることなどによって実現される。すなわち、ＣＰＵ１００はフィッティング装置１０の動作全体を制御する制御部として機能する。なお、これらの機能構成の一部または全部は、ハードウェアで実現されていてもよい。
【００６８】
位置入力部２００は、ヘッド重量が異なる複数のゴルフクラブの各々について、当該ゴルフクラブが被験者によりボールに対してスイングされた場合に、当該ゴルフクラブのヘッドのフェース部のスイートスポットと、ボールの打撃位置との相対位置の入力を受け付ける。具体的には、位置入力部２００は、入力装置１２０を介して、複数のゴルフクラブの各々についての当該相対位置の入力を受け付ける。
【００６９】
入力部２１０は、ヘッド重量が異なる複数のゴルフクラブの各々について、被験者による当該ゴルフクラブのスイング時のヘッドスピードの入力を受け付ける。具体的には、入力部２１０は、通信インターフェイス１４０を介して、測定装置２０で測定された各ゴルフクラブのスイング時のヘッドスピードを取得する。また、入力部２１０は、入力装置１２０を介して、測定装置２０の測定情報の入力を受け付けてもよい。
【００７０】
算出部２２０は、複数のゴルフクラブの各々について、当該ゴルフクラブのヘッド重量と、当該ゴルフクラブのスイング時に測定されたヘッドスピードとに基づいて、当該ゴルフクラブのヘッドの運動エネルギーを算出する。なお、複数のゴルフクラブの各々のヘッド重量と、運動エネルギーの算出式とは、メモリ１１０に予め記憶されている。
【００７１】
推定部２３０は、算出されたヘッドの運動エネルギーとヘッド重量との間の相関関係に基づいて、被験者に適するヘッド重量を推定する。具体的には、推定部２３０は、ヘッド重量ごとに算出された運動エネルギーに基づいて、ヘッド重量と運動エネルギーとの関係を近似した曲線（たとえば、正規分布近似曲線）を生成する。そして、推定部２３０は、当該曲線に基づいて、ヘッドの運動エネルギーが最大となるときの当該ヘッドの重量を、被験者に適するヘッド重量として推定する。
【００７２】
出力部２４０は、推定部２３０により推定されたヘッド重量（推定ヘッド重量）、および位置入力部２００により受け付けられた相対位置を出力する。具体的には、出力部２４０は、推定ヘッド重量および相対位置をディスプレイ１３０に表示させたり、推定ヘッド重量および相対位置をスピーカから出力させたりする。また、出力部２４０は、推定ヘッド重量と基準ヘッド重量との差を示す情報（差分情報）をさらに出力してもよい。なお、基準ヘッド重量は、推定ヘッド重量に調整するときに基準となるヘッド（基準ヘッド）のヘッド重量である。たとえば、基準ヘッド重量はメモリ１１０に予め記憶されている。差分情報が出力されることにより、基準ヘッドからヘッド重量をどれだけ増やせばよいのか（あるいは減らせばよいのか）を即時に把握することができる。
【００７３】
また、出力部２４０は、推定ヘッド重量および相対位置を紙に印刷するように構成されていてもよい。なお、出力部２４０は、推定ヘッド重量のみを出力して、相対位置は出力しないように構成されていてもよい。
【００７４】
＜処理手順＞
次に、図１２を参照して、本実施の形態に従うフィッティング装置１０の処理手順について説明する。
【００７５】
図１２は、本実施の形態に従うフィッティング装置１０の処理手順の一例を示すフローチャートである。以下の各ステップは、ＣＰＵ１００がメモリ１１０に格納されたプログラムを実行することによって実現される。
【００７６】
図１２を参照して、ＣＰＵ１００は、入力装置１２０を介して、各ゴルフクラブについて、当該ゴルフクラブのスイートスポットと、ボールの打撃位置との相対位置の入力を受け付けたか否かを判断する（ステップＳ１０）。各ゴルフクラブについての当該相対位置の入力を受け付けていない場合には（ステップＳ１０においてＮＯ）、ＣＰＵ１００はステップＳ１０の処理を繰り返す。一方、各ゴルフクラブについての当該相対位置の入力を受け付けた場合には（ステップＳ１０においてＹＥＳ）、ＣＰＵ１００は、入力を受け付けた複数の相対位置の平均値を算出する（ステップＳ１２）。
【００７７】
次に、ＣＰＵ１００は、通信インターフェイス１４０を介して、被験者による各ゴルフクラブのスイング時のヘッドスピードの入力を受け付けたか否かを判断する（ステップＳ１４）。当該入力を受け付けていない場合には（ステップＳ１４においてＮＯ）、ＣＰＵ１００はステップＳ１４の処理を繰り返す。一方、当該入力を受け付けた場合には（ステップＳ１４においてＹＥＳ）、ＣＰＵ１００は、各ゴルフクラブについてのヘッド重量とヘッドスピードとに基づいて、各ゴルフクラブのヘッドの運動エネルギーを算出する（ステップＳ１６）。ＣＰＵ１００は、ヘッドの運動エネルギーとヘッド重量との相関関係に基づいて、被験者に適するヘッド重量を推定する（ステップＳ１８）。そして、ＣＰＵ１００は、ステップＳ１２で算出した相対位置の平均値と、ステップＳ１８で推定したヘッド重量とをディスプレイ１３０に表示して（ステップＳ２０）、処理を終了する。
【００７８】
＜実施例＞
ここでは、ゴルファＡとは別の被験者であるゴルファＢについて上述したフィッティングを行ない、飛距離の増大効果が得られるかを検証した。
【００７９】
図１３は、ゴルファＢが予め定められたゴルフクラブを使用したときの試打結果を示す図である。予め定められたゴルフクラブは、ゴルファＢが普段使用するゴルフクラブであり、そのヘッド重量は１８４．０ｇである。図１３を参照すると、ゴルファＢによりこのゴルフクラブ（マイクラブ）について５回の試打が行われており、ヘッドスピード、左右打撃位置、上下打撃位置および飛距離の平均値は、それぞれ４２．７（ｍ／ｓ）、９．６ｍｍ、−５．０ｍｍ、２３５．６（ｙａｒｄ）であることがわかる。左右打撃位置および上下打撃位置は、それぞれゴルファＢのマイクラブのスイートスポットに対する打撃位置の上下方向および左右方向の相対位置である。
【００８０】
図１４は、ヘッド重量が異なる複数のゴルフクラブをゴルファＢが使用したときのヘッドスピードおよび運動エネルギーを示す図である。なお、ヘッド重量が１９２．０ｇ、２００．０ｇのヘッドは、それぞれヘッド重量が１８４．０ｇのヘッドに鉛などを貼り付けてヘッド重量を増やしたヘッドである。図１５は、ヘッド重量と運動エネルギーとの関係性を示す図である。
【００８１】
図１４を参照して、ヘッド重量が１８４．０ｇのゴルフクラブは、図１３に示す測定結果を得るために用いられたゴルファＢのマイクラブである。ヘッド重量が１９２．０ｇおよび２００．０ｇのゴルフクラブについても、ゴルファＢにより５回の試打が行われており、それぞれのヘッドスピードの平均値は４２．８ｍ／ｓ、４２．２ｍ／ｓであることがわかる。また、ヘッド重量が１８４．０ｇ、１９２．０ｇ、２００．０ｇのゴルフクラブをゴルファＢが使用したときの運動エネルギーも示されている。なお、１９２．０ｇおよび２００．０ｇのゴルフクラブを使用した場合には、左右打撃位置、上下打撃位置は測定されていない。
【００８２】
図１５には、ヘッド重量と運動エネルギーとの関係を多項式分布により近似した曲線が示されている。図８の場合と同様に、ある値（ここでは、１９９ｇ）まではヘッド重量が増加するにつれて運動エネルギーが増加していくが、それ以降はヘッド重量が増加していくにつれて運動エネルギーが減少していくことがわかる。すなわち、ヘッド重量が１９９ｇのときに最大の運動エネルギー（１７８Ｊ）が得られる。
【００８３】
以上から、ゴルファＢの場合には、ヘッド重量を１９９ｇに調整し、かつスイートスポットの位置をゴルファＢのマイクラブのスイートスポットよりも９．６ｍｍヒール側、５．０ｍｍ下側に調整したヘッドを提供すればよいことがわかる。
【００８４】
そして、ヘッド内部に粘性体樹脂を流入してヘッド重量を１９９ｇに合わせつつ、その流入位置を調整した。これにより、スイートスポットの位置は、現状よりも３．８ｍｍヒール側、１．９ｍｍ下側に移動した。
【００８５】
図１６は、ゴルファＢがフィッティング後のゴルフクラブのヘッドを用いたときの試打結果を示す図である。図１６を参照すると、ゴルファＢによりフィッティング後のゴルフクラブについて５回の試打が行われており、ヘッドスピード、左右打撃位置、上下打撃位置および飛距離の平均値は、それぞれ４２．８ｍ／ｓ、９．５ｍｍ、−４．０ｍｍ、２３８．６ｙａｒｄであることがわかる。なお、左右打撃位置および上下打撃位置は、それぞれゴルファＢのマイクラブのスイートスポットに対する打撃位置の上下方向および左右方向の相対位置を示している。
【００８６】
スイートスポットの位置は、３．８ｍｍヒール側、１．９ｍｍ下側に調整されていることから、フィッティング後の打撃位置はフィッティング前よりも相対的に調整したスイートスポットに近づいていることがわかる。
【００８７】
また、図１６を参照して、フィッティング後のゴルフクラブのヘッドの運動エネルギーは、ヘッド重量（１９９ｇ）およびヘッドスピード（４２．８ｍ／ｓ）から１８２．２（Ｊ）となる。これに対して、フィッティング前のゴルフクラブのヘッドの運動エネルギーは、１６７．７（Ｊ）である（図１４参照）。これより、フィッティング後のゴルフクラブのヘッドの運動エネルギーは、フィッティング前よりも増大していることがわかる。
【００８８】
図１３および図１６を比較すると、フィッティング後の飛距離の増大効果は、３．０ｙａｒｄである。これは、運動エネルギーが増大したこと、および打撃位置が相対的にスイートスポットに近づいことが寄与していると考えられる。以上より、ゴルファＢの場合にも、フィッティングにより飛距離の増大効果が得られていることがわかる。
【００８９】
また、この実施例では、スイートスポットとボールの打撃位置との相対位置の測定は、ゴルファＢのマイクラブでのみ行われているが、ゴルファＡの場合と同様に飛距離の増大効果が得られている。したがって、必ずしも各ゴルフクラブについて、相対位置が測定される必要はなく、予め定められたゴルフクラブ（たとえば、ゴルファＢのマイクラブ）のヘッドのフェース部のスイートスポットと、ボールの打撃位置との相対位置を測定する場合であってもよいことがわかる。
【００９０】
また、ゴルファＡのフィッティングの場合には、ヘッド重量が異なる５本のゴルフクラブを用いてゴルファＡに適するヘッド重量を推定した。しかしながら、ゴルファＢのフィッティングの場合には、ヘッド重量が異なる３本のゴルフクラブを用いてゴルファＢに適するヘッド重量を推定することが可能であった。このことから、ヘッド重量が異なる複数のゴルフクラブを用いて、運動エネルギーが最大になるヘッド重量を推定できるような近似曲線を生成できればよく、その本数は限定されない。
【００９１】
＜その他の実施の形態＞
上述した実施の形態では、図１において、フィッティング方法がステップＳ１００〜ステップＳ１５０を含む構成について説明したが、これに限られない。たとえば、フィッティング方法は、相対位置を測定するステップＳ１００を含まない構成であってもよい。この場合、ステップＳ１５０においては、ステップＳ１３０において推定されたヘッド重量のみが出力される。
【００９２】
なお、コンピュータを機能させて、上述のフローチャートで説明したような制御を実行させるプログラムを提供することもできる。このようなプログラムは、コンピュータに付属するフレキシブルディスク、ＣＤ−ＲＯＭ（Compact  Disk  Read  Only  Memory）、ＲＯＭ、ＲＡＭおよびメモリカードなどの一時的でないコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００９３】
プログラムは、コンピュータのオペレーティングシステム（ＯＳ）の一部として提供されるプログラムモジュールのうち、必要なモジュールを所定のタイミングで呼出して処理を実行させるものであってもよい。その場合、プログラム自体には上記モジュールが含まれずＯＳと協働して処理が実行される。このようなモジュールを含まないプログラムも、本実施の形態にかかるプログラムに含まれ得る。
【００９４】
また、本実施の形態にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本実施の形態にかかるプログラムに含まれ得る。
【００９５】
上述の実施の形態として例示した構成は、本発明の構成の一例であり、別の公知の技術と組み合わせることも可能であるし、本発明の要旨を逸脱しない範囲で、一部を省略する等、変更して構成することも可能である。
【００９６】
＜実施の形態の効果＞
本実施の形態によると、被験者にとってヘッドの運動エネルギーが最大となるようなヘッド重量のヘッドを提供することができる。これにより、被験者の飛距離を増大させることができる。
【００９７】
また、本実施の形態によると、被験者の打撃位置近傍にヘッドのスイートスポットをセッティングすることができるため、ヘッドの運動エネルギーを効率よくボールに伝えることができる。そのため、被験者の飛距離の増大させることができるとともに、打撃感覚も高めることができる。
【００９８】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００９９】
１０  フィッティング装置、２０  測定装置、１００  ＣＰＵ、１１０  メモリ、１２０  入力装置、１３０  ディスプレイ、１４０  通信インターフェイス、１５０  メモリインターフェイス、１５２  記憶媒体、２００  位置入力部、２１０  入力部、２２０  算出部、２３０  推定部、２４０  出力部。
【図１】
2016123487.tif 000004
【図２】
2016123487.tif 000005
【図３】
2016123487.tif 000006
【図４】
2016123487.tif 000007
【図５】
2016123487.tif 000008
【図６】
2016123487.tif 000009
【図７】
2016123487.tif 000010
【図８】
2016123487.tif 000011
【図９】
2016123487.tif 000012
【図１０】
2016123487.tif 000013
【図１１】
2016123487.tif 000014
【図１２】
2016123487.tif 000015
【図１３】
2016123487.tif 000016
【図１４】
2016123487.tif 000017
【図１５】
2016123487.tif 000018
【図１６】
2016123487.tif 000019